(57)【要約】【課題】複数の画面に表示される画像の表示種類を変更する際に、ユーザの利便性を向上させる表示制御装置、表示システム、表示制御方法およびプログラムを提供すること。【解決手段】実施形態に係る表示制御装置は、受付部と、設定部と、変更部とを備える。受付部は、異なる表示種類の画像を表示可能な複数の画面各々に対する表示種類の変更指示を受け付ける。設定部は、変更指示に基づいて表示種類を変更する際に、複数の画面に同じ表示種類の画像が表示されないように表示種類を制限して設定する。変更部は、変更指示がされた画面の画像を、設定された表示種類の画像に変更する。【選択図】図１
2019028570.tif 000002
【特許請求の範囲】
【請求項１】
異なる表示種類の画像を表示可能な複数の画面各々に対する前記表示種類の変更指示を受け付ける受付部と、
前記変更指示に基づいて前記表示種類を変更する際に、前記複数の画面に同じ表示種類の画像が表示されないように前記表示種類を制限して設定する設定部と、
前記変更指示が受け付けられた前記画面の画像を、設定された前記表示種類の画像に変更する変更部と
を備えることを特徴とする表示制御装置。
【請求項２】
前記設定部は、
前記変更指示が前記複数の画面に対して行われた場合には、先に前記変更指示がされた画面に対する変更指示を優先して前記表示種類を設定する
ことを特徴とする請求項１に記載の表示制御装置。
【請求項３】
前記設定部は、
前記変更指示が前記複数の画面に対して行われた場合には、予め設定された所定画面に対する変更指示を優先して前記表示種類を設定する
ことを特徴とする請求項１に記載の表示制御装置。
【請求項４】
前記設定部は、
前記複数の画面に表示されている画像の次に表示させる画像の表示種類を、前記複数の画面で異なる表示種類に設定する
ことを特徴とする請求項１〜３のいずれか一つに記載の表示制御装置。
【請求項５】
前記設定部は、
前記複数の画面各々に対して予め規定された順序に基づいて前記表示種類を設定する
ことを特徴とする請求項１〜４のいずれか一つに記載の表示制御装置。
【請求項６】
前記設定部は、
所定の表示種類が他の表示種類よりも多く出現するように予め規定された順序に基づいて前記表示種類を設定する
ことを特徴とする請求項１〜５のいずれか一つに記載の表示制御装置。
【請求項７】
前記異なる表示種類の画像を表示する分割画面、または同一の表示種類の画像を表示する統合画面に切り替える切替部
を備え、
前記受付部は、
前記分割画面に対する操作指示よりも多くの種類の操作指示を前記統合画面に対して受け付ける
ことを特徴とする請求項１〜６のいずれか一つに記載の表示制御装置。
【請求項８】
請求項１〜７のいずれか一つに記載の表示制御装置と、
前記異なる表示種類の画像を表示可能な表示部と
を備えることを特徴とする表示システム。
【請求項９】
異なる表示種類の画像を表示可能な複数の画面各々に対する前記表示種類の変更指示を受け付ける受付工程と、
前記変更指示に基づいて前記表示種類を変更する際に、前記複数の画面に同じ表示種類の画像が表示されないように前記表示種類を制限して設定する設定工程と、
前記変更指示がされた前記画面の画像を、設定された前記表示種類の画像に変更する変更工程と
を含むことを特徴とする表示制御方法。
【請求項１０】
異なる表示種類の画像を表示可能な複数の画面各々に対する前記表示種類の変更指示を受け付ける受付ステップと、
前記変更指示に基づいて前記表示種類を変更する際に、前記複数の画面に同じ表示種類の画像が表示されないように前記表示種類を制限して設定する設定ステップと、
前記変更指示がされた前記画面の画像を、設定された前記表示種類の画像に変更する変更ステップと
をコンピュータに実行させることを特徴とするプログラム。
【発明の詳細な説明】
【技術分野】
【０００１】
開示の実施形態は、表示制御装置、表示システム、表示制御方法およびプログラムに関する。
【背景技術】
【０００２】
従来、ディスプレイを複数の画面に分割し、分割した画面各々に、例えば、地図を表示させる表示制御装置が知られている（例えば、特許文献１参照）。
【先行技術文献】
【特許文献】
【０００３】
【特許文献１】特開２０１５−１８４３２号公報
【発明の概要】
【発明が解決しようとする課題】
【０００４】
しかしながら、上記表示制御装置では、例えば、分割された複数の画面各々に異なる表示種類の画像を表示させて、複数の画面に表示される表示種類を変更することは考慮されていない。
【０００５】
実施形態の一態様は、上記に鑑みてなされたものであって、複数の画面各々に表示される画像の表示種類を変更する際に、ユーザの利便性を向上させる表示制御装置、表示システム、表示制御方法およびプログラムを提供することを目的とする。
【課題を解決するための手段】
【０００６】
実施形態の一態様に係る表示制御装置は、受付部と、設定部と、変更部とを備える。受付部は、異なる表示種類の画像を表示可能な複数の画面各々に対する表示種類の変更指示を受け付ける。設定部は、変更指示に基づいて表示種類を変更する際に、複数の画面に同じ表示種類の画像が表示されないように表示種類を制限して設定する。変更部は、変更指示がされた画面の画像を、設定された表示種類の画像に変更する。
【発明の効果】
【０００７】
実施形態の一態様によれば、複数の画面各々に表示される画像の表示種類を変更する際のユーザの利便性を向上させることができる。
【図面の簡単な説明】
【０００８】
【図１】図１は、実施形態に係る表示制御方法の概要を説明する図である。
【図２】図２は、実施形態に係るナビゲーションシステムの構成を示すブロック図である。
【図３】図３は、リストを画像とともに示す図である。
【図４】図４は、スライド操作に応じて右画面の画像の表示種類を変更した一例を示す図である。
【図５】図５は、タッチ操作に応じて画面を分割画面から統合画面に切り替えた場合を示す図である。
【図６】図６は、タッチ操作に応じて画面を分割画面から統合画面に切り替えた場合を示す図である。
【図７】図７は、実施形態に係る表示制御処理を説明するフローチャートである。
【図８】図８は、右画面に対応して設定されたリストを画像とともに示す図である。
【図９】図９は、左画面に対応して設定されたリストを画像とともに示す図である。
【発明を実施するための形態】
【０００９】
以下、添付図面を参照して、本願の開示する表示制御装置、表示システム、表示制御方法およびプログラムを説明する。なお、以下に示す実施形態によりこの発明が限定されるものではない。
【００１０】
まず、実施形態に係る表示制御方法の概要について図１を参照し説明する。図１は、実施形態に係る表示制御方法の概要を説明する図である。
【００１１】
実施形態に係る表示制御方法は、例えば、車両に搭載された表示システムであるナビゲーションシステム１によって実行される。ナビゲーションシステム１は、表示部３と、表示制御装置４とを備える。
【００１２】
以下では、前進時の車両の運転席から見て左手側を「左」とし、右手側を「右」とする。
【００１３】
表示部３は、例えば、車室内のインストルメントパネル５０に配置される。表示部３は、ユーザがタッチ操作を行うことで操作可能なタッチパネルである。
【００１４】
表示部３は、液晶パネルなどの画面２０を備える。表示部３は、画面２０に様々な表示種類の画像を表示する。表示種類は、例えば、「ナビゲーション」、「オーディオ」、「時計」、「方位」、「速度メータ」などがある。また、表示部３は、画面２０を、複数の画面２０ａ、２０ｂに分割し、複数の画面２０ａ、２０ｂに異なる表示種類の画像を表示することができる。ここでは、２つの画面２０ａ、２０ｂに分割する例を一例として説明するが、これに限られることはない。
【００１５】
表示部３には、例えば、左右に分割された画面２０ａ、２０ｂのうち、左側の画面２０ａ（以下、「左画面」と称する。）に時計の画像が表示され、右側の画面２０ｂ（以下、「右画面」と称する。）にナビゲーションの画像が表示される（図１中（ａ））。この状態で、右画面２０ｂがスライド操作された場合には（Ｓ１）、表示制御装置４は、スライド操作を、右画面２０ｂに対する画像の表示種類の変更指示として受け付ける（Ｓ２）。なお、スライド操作は、フリック操作およびスワイプ操作を含む。
【００１６】
表示制御装置４は、表示種類の変更指示を受け付けると、右画面２０ｂに表示させる画像の表示種類を、左画面２０ａに表示されている画像の表示種類とは異なる表示種類に設定する（Ｓ３）。すなわち、表示制御装置４は、複数の画面２０ａ、２０ｂに同じ表示種類の画像が表示されないように、表示種類を制限して設定する。表示制御装置４は、例えば、右画面２０ｂに表示させる画像の表示種類を時計とは異なるオーディオに設定する。
【００１７】
表示制御装置４は、右画面２０ｂに表示させる画像を、設定した表示種類の画像に変更する（Ｓ４）。これにより、表示部３の右画面２０ｂ（図１中（ｂ））には、オーディオの画像が表示される（Ｓ５）。
【００１８】
このように、表示制御装置４は、表示部３の複数の画面２０ａ、２０ｂに同じ表示種類の画像が表示されることを防止し、複数の画面２０ａ、２０ｂに表示される画像の表示種類を変更する際のユーザの利便性を向上させることができる。
【００１９】
次に、実施形態に係るナビゲーションシステム１について図２を参照し説明する。図２は、実施形態に係るナビゲーションシステム１の構成を示すブロック図である。
【００２０】
ナビゲーションシステム１は、ＡＶＮ（Audio  Visual  Navigation（登録商標））部２と、表示部３と、表示制御装置４とを備える。
【００２１】
ＡＶＮ部２は、ナビゲーション機能、オーディオ機能などの各種機能を制御する。例えば、ＡＶＮ部２は、ナビゲーション機能を制御する場合、ユーザの操作によって指定された目的地までの経路の設定および案内を行う。また、例えば、ＡＶＮ部２は、オーディオ機能を制御する場合、ユーザの操作によって指定された楽曲を車室内に流したり、ユーザの操作に応じて音量等を調整したりする。
【００２２】
表示部３は、ユーザの操作に応じて画面２０を左画面２０ａおよび右画面２０ｂ（図４参照）に分割し、異なる表示種類の画像を表示する分割画面２１（図４参照）と、画面２０に同一の表示種類の画像を表示する統合画面２２（図５および図６参照）とに切り替えて表示することができる。
【００２３】
表示制御装置４は、記憶部５と、制御部６とを備える。
【００２４】
記憶部５は、例えば、ＲＡＭ（Random  Access  Memory）やＨＤＤ（Hard  Disk  Drive）である。記憶部５は、各種プログラムの情報を記憶する。
【００２５】
制御部６は、例えば、ＣＰＵ（Central  Processing  Unit）、ＲＯＭ（Read  Only  Memory）、ＲＡＭ、入出力ポートなどを有するマイクロコンピュータや各種の回路を含む。なお、制御部６は、一部または全部がＡＳＩＣ（Application  Specific  Integrated  Circuit）やＦＰＧＡ（Field  Programmable  Gate  Array）等のハードウェアで構成されてもよい。
【００２６】
制御部６は、ＲＯＭに記憶されたプログラム（図示略）をＲＡＭを作業領域として使用して実行することにより機能する複数の処理部を備える。具体的には、制御部６は、受付部１０と、設定部１１と、変更部１２と、切替部１３とを備える。制御部６は、複数の制御部によって構成されてもよく、各処理部は複数の処理部によって構成されてもよく、統合されて構成されてもよい。
【００２７】
受付部１０は、表示部３を介してユーザの操作、例えば、タッチ操作や、スライド操作を受け付ける。受付部１０は、画面２０に表示された操作ボタン３０（図５および図６参照）がタッチ操作された場合には、タッチ操作を、各操作ボタン３０の操作指示として受け付ける。
【００２８】
受付部１０は、画面２０に表示された操作ボタン３０以外の領域がタッチ操作された場合には、タッチ操作を、分割画面２１と統合画面２２とを切り替える操作指示として受け付ける。
【００２９】
受付部１０は、表示部３が分割画面２１で表示されている場合には、分割画面２１の画面２０ａ、２０ｂ各々に対するユーザの操作を受け付ける。具体的には、受付部１０は、右画面２０ｂおよび左画面２０ａに対するユーザの操作をそれぞれ受け付ける。受付部１０は、分割画面２１に対する操作指示よりも多くの種類の操作指示を統合画面２２に対して受け付ける。なお、この操作指示の一例については、後述する。
【００３０】
受付部１０は、表示部３が分割画面２１で表示されている場合には、スライド操作を、スライド操作がされた画面２０ａ、２０ｂに対して画像の表示種類を変更する変更指示として受け付ける。
【００３１】
受付部１０は、表示部３が統合画面２２で表示されている場合には、スライド操作を、各統合画面２２で設定された操作指示として受け付ける。
【００３２】
なお、上記した受付部１０によって受け付けるユーザの操作は、一例であり、これに限られることはない。例えば、ユーザの操作は、短い時間の間に２回のタッチ操作が行われるダブルタップが含まれてもよい。
【００３３】
設定部１１は、表示部３が分割画面２１で表示されており、スライド操作による表示種類の変更指示が受け付けられた場合には、変更指示に基づいてスライド操作がされた画面２０ａ、２０ｂ、すなわち変更指示が受け付けられた画面に表示する画像の表示種類を設定する。
【００３４】
ここでは、まず、設定部１１による基本的な表示種類の設定方法について説明し、その後、表示種類を制限した設定方法について説明する。
【００３５】
設定部１１は、変更指示が受け付けられた場合に、予め規定された順序に基づいて画像の表示種類を設定する。順序は、例えば、リストや、テーブルなどにより規定される。以下では、順序の一例としてリストを用いて説明するが、これに限られることはない。リストは、スライド操作に応じて、例えば、図３に示すように、「ナビゲーション」、「オーディオ」、「時計」、「速度メータ」、「方位」の順に表示種類が設定されるように決められている。図３は、リストを画像とともに示す図である。なお、表示種類は、「方位」の後は、「ナビゲーション」に戻って設定される。つまり、設定部１１は、ユーザのスライド操作に基づいて表示種類が循環表示されるように表示種類を設定する。
【００３６】
設定部１１は、各画面２０ａ、２０ｂに対する表示種類の変更指示に応じて表示種類を設定する。例えば、ナビゲーションの画像が右画面２０ｂに表示されており、右画面２０ｂに対する表示種類の変更指示が受け付けられた場合には、設定部１１は、右画面２０ｂに表示する画像の表示種類をオーディオに設定する。また、オーディオの画像が右画面２０ｂに表示されており、右画面２０ｂに対する表示種類の変更指示が受け付けられた場合には、設定部１１は、右画面２０ｂに表示する画像の表示種類を時計に設定する。
【００３７】
なお、設定部１１は、スライド操作の方向に応じて、表示種類の変更順を設定してもよい。例えば、スライド操作が左から右である場合には、設定部１１は、図３に示す順に表示種類を設定する。また、スライド操作が右から左である場合には、設定部１１は、図３に示す順とは逆方向の順に表示種類を設定する。
【００３８】
しかしながら、上記するように表示種類を設定した場合には、各画面２０ａ、２０ｂに同じ表示種類の画像が表示されることがある。分割画面２１である画面２０ａ、２０ｂに同じ表示種類の画像が表示された場合には、ユーザが煩わしさを感じることがある。そのため、設定部１１は、各画面２０ａ、２０ｂに同じ表示種類の画像が表示されることを制限して、表示種類を設定する。
【００３９】
設定部１１は、分割画面２１のうち一方の画面２０ａ、２０ｂに対する表示種類の変更指示が受け付けられた場合には、もう一方の画面２０ａ、２０ｂに表示されている画像の表示種類とは異なる表示種類を、一方の画面２０ａ、２０ｂに表示させる画像の表示種類として設定する。
【００４０】
具体的には、設定部１１は、リストに基づき、もう一方の画面２０ａ、２０ｂに表示されている画像の表示種類をスキップして表示種類を設定する。
【００４１】
例えば、左画面２０ａに方位の画像が表示されており、右画面２０ｂに速度メータの画像が表示されており、右画面２０ｂに対してスライド操作が行われた場合には、設定部１１は、右画面２０ｂの表示種類を、図３を用いて説明したリストに基づいて、方位をスキップして、ナビゲーションに設定する。
【００４２】
変更部１２は、設定部１１による表示種類の設定結果に基づいて表示部３へ信号を出力し、分割画面２１においてスライド操作がされた画面２０ａ、２０ｂ、すなわち表示種類の変更指示が受け付けられた画面２０ａ、２０ｂの画像を、設定された表示種類の画像に変更する。
【００４３】
例えば、図４に示すように、左画面２０ａに方位の画像が表示され、右画面２０ｂにナビゲーションの画像が表示され、右画面２０ｂがスライド操作された場合には、変更部１２は、スライド操作に応じて右画面２０ｂを変更する。図４は、スライド操作に応じて右画面２０ｂの画像の表示種類を変更した一例を示す図である。なお、ここでは、図３を用いて説明したリストの順に表示種類が変更されるものとする。
【００４４】
右画面２０ｂにナビゲーションの画像が表示された状態で、右画面２０ｂがスライド操作されると、変更部１２は、右画面２０ｂの画像をオーディオの画像に変更する。次に、右画面２０ｂがスライド操作されると、変更部１２は、右画面２０ｂの画像を時計の画像に変更する。次に、右画面２０ｂがスライド操作されると、変更部１２は、右画面２０ｂの画像を速度メータの画像に変更する。
【００４５】
さらに、右画面２０ｂがスライド操作されると、左画面２０ａに方位の画像が表示されているため、方位の画像がスキップされ、変更部１２は、右画面２０ｂの画像をナビゲーションの画像に変更する。
【００４６】
このように、変更部１２は、各画面２０ａ、２０ｂに同じ表示種類の画像が表示されることを制限しつつ、スライド操作が行われた画面２０ａ、２０ｂに表示される画像を変更する。
【００４７】
図２に戻り、切替部１３は、画面２０に表示された操作ボタン３０以外の領域のタッチ操作が受付部１０によって操作指示として受け付けられた場合には、分割画面２１と統合画面２２とを切り替える。
【００４８】
具体的には、切替部１３は、分割画面２１で表示された操作ボタン３０以外の領域のタッチ操作が操作指示として受け付けられた場合には、画面２０を分割画面２１から統合画面２２に切り替える。また、切替部１３は、統合画面２２で表示された操作ボタン３０以外の領域のタッチ操作が操作指示として受け付けられた場合には、画面２０を統合画面２２から分割画面２１に切り替える。
【００４９】
例えば、図５に示すように、左画面２０ａに方位の画像が表示され、右画面２０ｂにナビゲーションの画像が表示され、右画面２０ｂにおいて操作ボタン３０以外の領域がタッチ操作された場合には、切替部１３は、画面２０を分割画面２１から統合画面２２に切り替え、ナビゲーションの画像を画面全体に表示する。図５は、タッチ操作に応じて画面２０を分割画面２１から統合画面２２に切り替えた場合を示す図である。
【００５０】
ナビゲーションの画像で表示される操作ボタン３０は、例えば、拡大ボタン３１ａ、縮小ボタン３１ｂ、表示切替ボタン３１ｃである。拡大ボタン３１ａは、車両のマーク付近の地図を拡大させるボタンである。縮小ボタン３１ｂは、車両のマーク付近の地図を縮小させるボタンである。表示切替ボタン３１ｃは、ナビゲーションの画像をヘッドアップ表示またはノースアップ表示に切り替えるボタンである。ヘッドアップ表示は、車両のマークの進行方向が常に画面２０の上を向く表示である。ノースアップ表示は、北の方角が常に画面２０の上を向く表示である。
【００５１】
なお、図５に示す統合画面２２において操作ボタン３０以外の領域がタッチ操作された場合には、切替部１３は、左画面２０ａに方位の画像が表示され、右画面２０ｂにナビゲーションの画像が表示される元の分割画面２１に変更する。
【００５２】
また、例えば、図６に示すように、左画面２０ａに方位の画像が表示され、右画面２０ｂにオーディオの画像が表示され、右画面２０ｂにおいて操作ボタン３０以外の領域がタッチ操作された場合には、切替部１３は、画面２０を分割画面２１から統合画面２２に切り替え、オーディオの画像を画面全体に表示する。図６は、タッチ操作に応じて分割画面２１から統合画面２２に切り替えた場合を示す図である。
【００５３】
分割画面２１におけるオーディオの画像で表示される操作ボタン３０は、例えば、再生ボタン３２ａ、早送りボタン３２ｂおよび巻き戻しボタン３２ｃである。再生ボタン３２ａは、曲を再生させるボタンであり、曲を再生中の場合には再生を停止させる停止ボタンとなる。早送りボタン３２ｂおよび巻き戻しボタン３２ｃは、曲を変更するボタンである。例えば、或るアルバムの最後の曲が再生中の場合に、早送りボタン３２ｂが操作されると、次のアルバムの最初の曲が再生される。
【００５４】
統合画面２２におけるオーディオ画像で表示される操作ボタン３０は、分割画面２１における操作ボタン３０（再生ボタン３２ａ、早送りボタン３２ｂおよび巻き戻しボタン３２ｃ）に加えて、例えば、検索ボタン３２ｄである。検索ボタン３２ｄは、曲名や、アルバム名を検索するボタンである。
【００５５】
また、上記したように、受付部１０は分割画面２１に対する操作指示よりも多くの種類の操作指示を統合画面２２に対して受け付ける。すなわち、分割画面２１では、ユーザが操作可能な操作が、統合画面２２に対して制限される。
【００５６】
例えば、図５に示す分割画面２１のナビゲーションの画像では、受付部１０は、操作指示として、操作ボタン３０の操作を受け付ける。一方、図５に示す統合画面２２のナビゲーションの画像では、受付部１０は、操作ボタン３０の操作指示に加えて、操作指示として、地図の移動（スライド操作）などの操作を受け付ける。
【００５７】
また、例えば、図６に示す分割画面２１のオーディオの画像では、受付部１０は、操作指示として、再生ボタン３２ａ、早送りボタン３２ｂ、巻き戻しボタン３２ｃの操作を受け付ける。一方、図６に示す統合画面２２のオーディオの画像では、受付部１０は、操作指示として、再生ボタン３２ａ、早送りボタン３２ｂ、巻き戻しボタン３２ｃの操作に加えて、検索ボタン３２ｄの操作や、アルバムの選択（スライド操作およびタッチ操作）などの操作を受け付ける。
【００５８】
また、例えば、時計の画像では、受付部１０は、分割画面２１では操作指示として、表示される月を変更する操作を受け付けないが、統合画面２２では操作指示として、表示される月を変更する操作を受け付ける。
【００５９】
次に、実施形態に係る表示制御処理について図７を参照し説明する。図７は、実施形態に係る表示制御処理を説明するフローチャートである。
【００６０】
表示制御装置４は、表示部３が分割画面２１であり（Ｓ１０：Ｙｅｓ）、分割画面２１のいずれかの画面２０ａ、２０ｂに対する表示種類の変更指示を受け付けた場合には（Ｓ１１：Ｙｅｓ）、表示種類の変更指示を受け付けた画面２０ａ、２０ｂに表示する画像の表示種類を設定する（Ｓ１２）。なお、表示制御装置４は、各画面２０ａ、２０ｂに同じ表示種類の画像が表示されないように、表示種類を設定する。
【００６１】
表示制御装置４は、設定した表示種類の画像を、表示種類の変更指示を受け付けた画面２０ａ、２０ｂに表示し、表示種類の変更指示を受け付けた画面２０ａ、２０ｂの画像を変更する（Ｓ１３）。
【００６２】
表示制御装置４は、各画面２０ａ、２０ｂに対して表示種類の変更指示を受け付けておらず（Ｓ１１：Ｎｏ）、操作ボタン３０以外の領域のタッチ操作を操作指示として受け付けた場合には（Ｓ１４：Ｙｅｓ）、表示部３の画面２０を分割画面２１から統合画面２２に切り替える（Ｓ１５）。
【００６３】
表示制御装置４は、操作ボタン３０以外の領域のタッチ操作を操作指示として受け付けていない場合には（Ｓ１４：Ｎｏ）、今回の処理を終了する。
【００６４】
表示制御装置４は、表示部３が分割画面２１ではなく、統合画面２２であり（Ｓ１０：Ｎｏ）、操作ボタン３０以外の領域のタッチ操作を操作指示として受け付けた場合には（Ｓ１６：Ｙｅｓ）、表示部３の画面２０を統合画面２２から分割画面２１に切り替える（Ｓ１７）。
【００６５】
表示制御装置４は、操作ボタン３０以外の領域のタッチ操作を操作指示として受け付けていない場合には（Ｓ１６：Ｎｏ）、今回の処理を終了する。
【００６６】
次に、実施形態における効果について説明する。
【００６７】
実施形態に係るナビゲーションシステム１は、分割画面２１である右画面２０ｂまたは左画面２０ａに対する画像の表示種類の変更指示を受け付けると、左画面２０ａおよび右画面２０ｂに同じ表示種類の画像が表示されないように表示種類を制限して、変更指示を受け付けた画面２０ａ、２０ｂの画像を変更する。これにより、各画面２０ａ、２０ｂに同じ表示種類の画像が表示されることを防止し、分割画面２１に表示される画像の表示種類を変更する際のユーザの利便性を向上させることができる。
【００６８】
実施形態に係るナビゲーションシステム１は、表示部３の画面２０を、異なる表示種類の画像を表示する分割画面２１と、同一の表示種類の画像を表示する統合画面２２とに切り替え可能であり、分割画面２１に対する操作指示よりも多くの種類の操作指示を統合画面２２に対して受け付ける。これにより、ユーザは、分割画面２１によって複数の表示種類の画像を視認することができ、また統合画面２２によって、例えば、ナビゲーション機能や、オーディオ機能に対する詳細な操作を行うことができる。
【００６９】
次に、上記実施形態の変形例について説明する。
【００７０】
変形例に係るナビゲーションシステム１は、表示部３が分割画面２１で表示されている場合には、各画面２０ａ、２０ｂに対して設定されたリストに基づいて表示種類を設定する。具体的には、変形例に係るナビゲーションシステム１は、右画面２０ｂに対する変更指示を受け付けた場合には、右画面２０ｂに対して設定されたリストに基づいて右画面２０ｂに表示する表示種類を設定する。また、変形例に係るナビゲーションシステム１は、左画面２０ａに対する変更指示を受け付けた場合には、左画面２０ａに対して設定されたリストに基づいて左画面２０ａに表示する表示種類を設定する。各リストに含まれる表示種類は、リスト毎に設定することができる。
【００７１】
これにより、表示部３が分割画面２１で表示されている場合に、各画面２０ａ、２０ｂで表示させる画像の表示種類をそれぞれ設定することができ、各画面２０ａ、２０ｂに表示される画像の表示種類を変更する際のユーザの利便性を向上させることができる。
【００７２】
また、各リストは、所定の表示種類が他の表示種類よりも多く出現するように設定されてもよい。所定の表示種類は、予め設定された表示種類であり、ユーザにより設定可能であってもよい。
【００７３】
例えば、右画面２０ｂに対応して設定されたリストは、図８に示すように、所定の表示種類としてナビゲーションが他の表示種類よりも多く出現するように設定される。図８は、右画面２０ｂに対応して設定されたリストを画像とともに示す図である。右画面２０ｂに対応して設定されたリストでは、ナビゲーションの出現率が、２／６、他の表示種類（オーディオ、時計、速度メータおよび方位）の出現率がそれぞれ１／６とされている。
【００７４】
また、左画面２０ａに対応して設定されたリストは、図９に示すように、所定の表示種類として、オーディオが他の表示種類よりも多く出現するように設定される。図９は、左画面２０ａに対応して設定されたリストを画像とともに示す図である。左画面２０ａに対応して設定されたリストでは、オーディオの出現率が２／６、他の表示種類（ナビゲーション、時計、速度メータおよび方位）の出現率がそれぞれ１／６とされている。
【００７５】
なお、所定の表示種類は、複数の表示種類であってもよい。また、複数の所定の表示種類に対して、さらに出現率が個別に設定されてもよい。例えば、所定の表示種類が、ナビゲーションおよびオーディオであるリストでは、ナビゲーションの出現率が３／８、オーディオの出現率が２／８、他の表示種類（時計、速度メータおよび方位）の出現率がそれぞれ１／８とされている。
【００７６】
また、左画面２０ａと右画面２０ｂとで共通のリストにおいても、所定の表示種類が他の表示種類よりも多く出現するように設定されてもよい。
【００７７】
これにより、表示部３が分割画面２１で表示されている場合に、分割画面２１において、所定の表示種類の画像を多くの頻度で表示することができ、分割画面２１に表示される画像の表示種類を変更する際のユーザの利便性をさらに向上させることができる。
【００７８】
また、変形例に係るナビゲーションシステム１は、表示部３が分割画面２１で表示されている場合に、各画面２０ａ、２０ｂに対して、ほぼ同時に変更指示がされた場合には、先に変更指示がされた画面２０ａ、２０ｂに対する変更指示を優先して表示種類を設定する。例えば、変形例に係るナビゲーションシステム１は、右画面２０ｂに対する変更指示を受け付けてから右画面２０ｂで画像の表示種類が変更される前に、左画面２０ａに対する変更指示を受け付けた場合には、右画面２０ｂに対する変更指示を優先して表示種類を設定し、その後、左画面２０ａに対する表示種類を設定する。
【００７９】
そして、変形例に係るナビゲーションシステム１は、左画面２０ａに対する変更指示に基づいて表示種類を設定する場合に、右画面２０ｂに対する変更指示に基づいて設定した表示種類をスキップして表示種類を設定する。そのため、左画面２０ａおよび右画面２０ｂに同じ表示種類の画像が表示されることを防止し、ユーザの利便性を向上させることができる。
【００８０】
また、変形例に係るナビゲーションシステム１は、表示部３が分割画面２１で表示されている場合に、各画面２０ａ、２０ｂに対して、ほぼ同時に変更指示された場合には、予め設定された所定の画面に対する変更指示を優先させて表示種類を設定してもよい。例えば、運転席側の右画面２０ｂを所定の画面とする。これにより、左画面２０ａおよび右画面２０ｂに同じ表示種類の画像が表示されることを防止し、ユーザの利便性を向上させることができる。
【００８１】
また、変形例に係るナビゲーションシステム１は、表示部３が分割画面２１で表示されている場合に、各画面２０ａ、２０ｂに現在表示されている画像の次に表示させる画像の表示種類を、各画面２０ａ、２０ｂで異なる表示種類としてもよい。例えば、変形例に係るナビゲーションシステム１は、各画面２０ａ、２０ｂに対応して設定されたリストにおける表示種類の順番を変更する。これにより、左画面２０ａおよび右画面２０ｂに同じ表示種類の画像が表示されることを防止し、ユーザの利便性を向上させることができる。
【００８２】
また、変形例に係るナビゲーションシステム１は、複数の表示部３を備えてもよい。表示制御装置４は、複数の表示部３の画面２０（複数の画面）に対する変更指示を受け付け、複数の表示部３の画面２０に同じ画像が表示されないようにしてもよい。
【００８３】
また、ナビゲーションシステム１は、タッチ操作の他に、ユーザのジェスチャーをカメラによって撮影し、撮影した画像に基づいて各種操作を行ってもよい。
【００８４】
リスト（順序）には、上記した表示種類以外の種類が含まれてもよく、例えば、交通情報が含まれてもよい。交通情報は、例えば、渋滞情報や、事故情報である。交通情報を表示部３に表示する場合には、車両付近の道路における交通情報が表示される。なお、ＡＶＮ部２によって目的地が設定されている場合には、例えば、走行ルート上の交通情報が車両からの距離が近い順に表示される。
【００８５】
なお、上記変形例を組み合わせて適用してもよい。
【００８６】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００８７】
１      ナビゲーションシステム（表示システム）
３      表示部
４      表示制御装置
６      制御部
１０    受付部
１１    設定部
１２    変更部
１３    切替部
２０    画面
２０ａ  左画面
２０ｂ  右画面
２１    分割画面
２２    統合画面
【図１】
2019028570.tif 000003
【図２】
2019028570.tif 000004
【図３】
2019028570.tif 000005
【図４】
2019028570.tif 000006
【図５】
2019028570.tif 000007
【図６】
2019028570.tif 000008
【図７】
2019028570.tif 000009
【図８】
2019028570.tif 000010
【図９】
2019028570.tif 000011